(57)【要約】【課題】ユーザーの余分な疲労を防止して、効率良くねじ回しが出来るラチェット式ねじ回しを提供する。【解決手段】ラチェット式ねじ回しは、ハンドル付きの作動終端およびその内部にある逆転可能ラチェットメカニズムから成り、ラチェットメカニズムにより定義されるボアの中に関連シャンクの一端が同軸的に受け入れられる。カップ形スピナーはシャンクに固定され、カップ形逆転部材はスピナー内にはめ込まれ且つラチェットメカニズムに接続され、さらにユーザの手の指または親指で操作できる環状フランジを有し、それで前方ラチェットモード、後方ラチェットモード、および非ラチェットモードと、ラチェットメカニズムを切り換える。環状フランジの外側外周表面には、弧状リセスと鋸状の刻み目のある摩擦性握り部分が交互に環状に配置されている。【選択図】図１１
2008296367.tif 000002
【特許請求の範囲】
【請求項１】
ラチェット式ねじ回しであり、既定の直径を持つ概して円筒形の作動終端を持つハンドル、ハンドルの作動終端に収納された前方向および逆方向にラチェットモードで操作可能な逆転可能ラチェットメカニズムが含まれ、そのラチェットメカニズムは有軸ボアを画成し、ボアの中に同軸的に受け入れ且つそのラチェットメカニズムと噛み合い、且つハンドルの回転と関連して第一の方向にハンドルと共に回転し且つ第一方向とは逆の第二方向でハンドルをラチェット式回転する細長いシャンクを画成し、そこでは第一方向はラチェットモードに基づいて前方向かまたは逆方向の何れかであり、シャンクに関連する回転用にハンドルの作動終端近くに配置され、且つ前方向ラチェットモードと逆転ラチェットモードとを切り換えるラチェットメカニズムに接続された円筒形可逆転部材は、ハンドルを握るユーザの手の指および／または親指でその突出部分を容易に押さえることができ該可逆転部材を回転させるに適切な既定距離にあるハンドル作動終端から半径方向外向きに張り出した一段高い突出部分を含む露出した外側外周表面を有し、前記突出部分は前記ボアとは同軸でない円弧を形成する、ねじ回し。
【発明の詳細な説明】
【技術分野】
【０００１】
本発明は、ねじ、ナット、およびその類似物をねじ込むために使用される種類のラチェット式ねじ回し、特に逆転ラチェットねじ回しに関連する。
【背景技術】
【０００２】
本発明は、特許文献１で開示された逆転可能ラチェット式ねじ回しの改良型であり、ここではその開示が参照により包含される。そのねじ回しは、細長いハンドルとハンドルの作動終端によりラチェットメカニズムを収納する。ラチェットメカニズムは一対のつめと噛み合う歯車から成り、その歯車にはアキシャルボアがあり、そこで関連シャンクの一端を受け入れる。ラチェットメカニズムを取り囲む制御キャップは、その開口を通貫してシャンクを受け入れ、割リングによって固定され、回転可能なキャップにより逆転メカニズムを始動させて、前方向および逆方向のラチェットモードと非ラチェットモード間でラチェットメカニズムを切り換える。制御キャップはぎざぎざした外側環状表面を持ち、その最大外側直径はハンドルの作動終端のそれとほとんど同じである。シャンクにもぎざぎざの付いた部分があるため、ユーザは一方の手でハンドルを握り、他方の手でシャンクのぎざぎざのある部分をしっかり掴んでハンドルに関連してシャンクをスピンすることが出来る。そのようなスピン操作は、留め具を締め付ける際の初期段階か、または留め具をゆるめる最終段階など、関連の留め具駆動操作の抵抗が低い段階で使用される。
【０００３】
従来のこの配置は、シャンクのスピン操作を効果的にするためにユーザは両手を使う必要があるために、不便である。その上、従来のラチェットねじ回しのハンドルは細長いまっすぐした標準型である。この配置では、ユーザが関連の留め具やその他の作動部品に高度の回転力を適用することが難しくまた不快であるが、その理由は回転力の適用に腕のモーメントが非常にわずかしか利用されないからである。また、この設計では、ユーザの手首が不自然に延びていることが要求されるために、長期間に渡る繰り返し操作が要求される適用で、ユーザの手首に肉体的疲労および／または痛みを与える恐れがある。
【特許文献１】米国特許第４，７７７，８５２
【発明の開示】
【発明が解決しようとする課題】
【０００４】
本発明の全般的目的は、従来のラチェット式ねじ回しの短所を回避すると同時に、構造的および操作上の長所が追加された改良型のラチェット式ねじ回しを提供することにある。
【０００５】
本発明のさらなる目的は、人間工学的に設計されたハンドルを持つ開示された種類のラチェット式ねじ回しを提供することにある。
【０００６】
また本発明のもうひとつの目的は、ハンドルを握っているユーザの手の指および／または親指により簡単に操作できる逆転部材を有する逆転ラチェット式ねじ回しを提供することにある。
【０００７】
また本発明のもうひとつの目的は、開示された種類の、比較的簡単且つ経済的な構造を持つ、逆転ラチェット式ねじ回しを提供することにある。
【課題を解決するための手段】
【０００８】
以上のおよびその他の発明の目的を達成するために、既定の円周で概して円筒形の作動終端、ハンドルの作動終端に収納される前方向および逆転のラチェットモードで操作できる逆転ラチェットメカニズムラチェット、そのラチェットメカニズムによって定義される有軸ボア、およびボアの中で同軸的に受け入れられラチェットメカニズムと噛み合い且つ第一方向でハンドルで回転するハンドル回転に対応し且つ第一方向とは逆の第二方向でハンドルに関連してラチェット回転に対応する細長いシャンクを、ラチェットねじ回しで提供し、改良点は以下から成る。つまり、ハンドルの作動終端に隣接してボアと同軸配置され、且つ前方および逆転のラチェットモードとを切り換えるラチェットメカニズムに接続された円筒形逆転部材、ハンドルを握っているユーザの手の指および／または親指でその突出部分を掴むと逆転部材を容易に回転できる適切な長さでハンドルの作動終端からラジアルに外向きに張り出した一段高い突出部分。
【０００９】
本発明は、以下で充分説明され且つ付随の図表で図解され、添付の請求項で詳細に指摘される一定の斬新な特徴および部品の組み合わせから成り、本発明の真髄から離れることなく、あるいは本発明に長所のいずれも犠牲にすることなしに、各種の詳細な変更がなされる可能性があることは理解されている。
【発明を実施するための最良の形態】
【００１０】
さて、図を参照すると、さらに特定して図１を参照すると、そこには本発明の特徴を組み込んだラチェット式ねじ回し２０が描写されている。ねじ回し２０には、ＰｈｉｌｌｉｐｓRねじを捩込む際に使用する取り外しの利くビット２１が付けられている。表示のビットの代わりに、当業界でよく知られている各種設計のビットで代用することができる。ねじ回し２０はシャンク２５を含み、それはビット２１を受け入れるためのレセプタクル２６を定義する拡大した終端を持つ。レセプタクル２６内には磁石（表示なし）があり、それによりビット２１が取り付けられたり取り外し自在で保持される。シャンク２５の一部分はぎざぎざした表面２７を有し、それによりユーザが握り易くなる。図３を参照すると、シャンク２５はその全長の横断面ほとんどに沿って円形であるが、レセプタクル２６の反対側の位置は正方形の終端２８を持つ。縦方向に延びるぎざぎざまたはスプライン２９は、以下で説明される目的のために正方形終端２８から少し離れてシャンク２５にアキシャルに施されている。
【００１１】
シャンク２５は細長いハンドル３０に装着され、そのハンドルは概して「ピストル握り」型に曲がっている。さらに特定すると、ハンドル３０は、短い前方部分３１、およびそれに接続した第一軸に沿って延びる首つきの下方湾曲部分３２と、長く延びる握り部分３３から成り、それは前方部分３１の軸に対して約１２０°の角度で傾斜する第二軸に沿って延びる。握り部分３３の末端にはキャップまたは蓋３４があり、それを取り外すとビットを収納できるスペースがある（表示なし）。ハンドル３０の前方部分３１は作動終端３５で終わる。握り部分３３は、４個のわずかに凹んだ面３６と４個のわずかに凸でた面３７とで区切られて、ハンドル３０を握り易くする。作動終端３５には、反対に向いた一対の矢印と矢印の間のドットで構成される指示３８がある。各矢印はねじ回し２０が回転される方向を示し、且つ反対方向にラチェットされることを示す。中央のドットはねじ回し２０がラチェットなしで作動する位置を示す。作動終端３５は大体において円形の終端表面３９を持ち、その内部にはアキシャルボア３９ａが形成されている（図３）。
【００１２】
図３および図４を参照すると、ハンドル３０には逆転可能ラチェット組立４０が収納されているが、それは特許第４，７７７，８５２で開示された組立と基本的に同じである。詳細に見ると、金属インサート４１がハンドル３０の前方部分３１のボア３９ａの中に取り付けられている。ハンドル３０はできれば高衝撃プラスチックで作られ、インサート４１は所定位置に成型されるのが好ましい。インサート４１の側面は独特のフランジ状要素（表示なし）を持ち、プラスチックハンドルの内部にしっかり固定される。インサート４１の前方終端部分４２は拡大して、その周囲に円周溝４３が施されて、その目的については後で説明されるロッキング作用に使用される。図４を参照すると、前方終端部分４２は円形終端表面４４を有し、そこでは概して円筒形の軸はハンドル３０の前方部分３１の縦方向軸と一直線上になるアキシャルボア４５が形成される。インサート４１にはキー溝４６もあり、それがボア４５と連絡を取り、概してボアに接線接触する。キー溝４６はボア４２の反対側にあるアーム部分４７と４７ａから成る。キー溝４６の終端は、２つの終端表面４８によって限定され、それは相互に向かい合い、概して相互に平行し且つボア４５の軸とも平行する。また、概して十字架状の凹部４９も終端表面４４で形成される。凹部４９の下部表面にはアキシャルに延びる穴５０がある。アキシャルに延びる穴５１は、終端表面４４で形成され、穴５０から約１００°の間隔で配置される。弧状スロット５２は表面４４で形成され、穴５０から約９０°から１３５°までの間隔で広がる。
【００１３】
ラチェット組立４０はさらに、概して円筒形で、ボア４５の中に位置し、そこで自由に回転できる管歯車６０で構成される。歯車６０の前方半分は複数の歯６１から成る。管歯車６０全体にアキシャルに延びるのは開口６２で、その前方部分は円筒形でありその後部終端は正方形である。シャンク２５は開口６２の中を延びて、その正方形終端２８が開口６２の正方形終端６３と噛み合う。このようにして、シャンク２５は管歯車６０に固定され、それと共に回転する。
【００１４】
ラチェット組立４０はさらに、概して平行六面体の形をしたつめ７０を含むが、但しアキシャルに延びる歯７１によって置き換えられたひとつの端は例外で、その歯７１は管歯車６０の歯６１と噛み合う形をしている。つめ７０はキー溝部分４７ａ（図４）の中に位置する。スプリング７２はつめ７０と隣接する終端表面４８のひとつとの間に位置する。図３で示されるように、スプリング７２がつめ７０を管歯車６０の左側に偏よせている。ラチェット組立４０はさらに、つめ７０と全く同一構造を持つ第二のつめ７５で構成される。その歯７６もまた、管歯車６０の歯６１と噛み合うように設計されている。スプリング７７は、スプリング７２と全く同じで、つめ７５と左側の終端表面４８のひとつとの間に配置されている。つめ７５は、図４で示されるように、管歯車６０に対して右側へ偏っている。
【００１５】
つめ７０と７５および歯車６０は、いわば前方向および逆転のラチェットモード操作はもちろん、非ラチェットモード操作を達成するために設計され操作される。つめ７０と７５両方共が管ラチェット歯車６０と噛み合う時、図４で図解されるように、ねじ回し２０は非ラチェットモードで操作され、標準ねじ回しとして作動する。もしつめ７０が噛み合わずにつめ７５だけが管歯車６０と噛み合っている場合、ハンドル３０の回転は前方向（図４で示されるように、時計の針と逆の方向）の回転によりハンドルによるシャンク２５の回転は関連の留め具を回転させる結果になるのに反し、ハンドル３０を反対方向に回転する時、それはシャンク２５に関連してラチェットする。これとは逆に、つめ７０だけが管歯車６０と噛み合っている場合は、ハンドル３０はそれが反対方向（時計の針の廻る方向、図４を参照）に回転する際にシャンク２５を駆動して、反対方向に回転する際はシャンク２５に関連してラチェットする。これらの操作モードについての詳細は、前述の米国特許第４，７７７，８５２で説明されているので、ここではさらに説明しない。
【００１６】
つめ７０と７５とが噛み合う位置と噛み合わない位置との間を動かすアクチュエータ８０などを含む逆転メカニズムが提供される。アクチュエータ８０は概してＬ字形で、レバー８１および噛み合い部分８２から成る。レバー８１は、つめ７０と７５との間のキー溝４６まで後方へ延びる。噛み合い部分８２は概して十字架形で、ラジアル方向に向いた脚および横方向の脚を限定する。スプリング８５は穴５０に配置され、それが前方および噛み合い部分８２および特にその中心領域に対してボール８７を偏らせる。スプリング（表示なし）は穴５１の中に位置し、それによりボール８９が前方へ偏よる（図４）。
【００１７】
図８−図１０を参照すると、逆転メカニズムは逆転リング９０も含み、それは概してカップ形で金属成型が好ましく、外側エッジに円筒形スカートまたは側壁９２のある概して円形の終端壁９１を持つ。側壁９２の反対側終端はラジアルに外向きに突き出した環状フランジ９３で構成され、それには弧状溝９４が外側表面の円周に沿って一定間隔に配置され、フランジ９３の外側表面９５と同様に、溝９４の間はぎざぎざまたは鋸状の刻み目を持つ。さらに、フランジ９３の外側表面には指示突起９６（図９）も形成されている。ラジアルスロットまたは開口９７が、溝９４のひとつでフランジ９３を貫通して形成されている（図１０）。スロット９７の側面は、図で表示されているように外向に広がるのが好ましい。終端壁９１と一体を成して形成するのは、間隔を置いて弧状に配置されているピン９８とラグ９９であり、それらは終端壁９１の内側表面から突き出ている。アキシャルボア１００は終端壁９１を貫通して形成されている。部分的球形の凹んだリセス１０１，１０２，および１０３は、終端壁９１の内側表面に形成されており、環状リセス１０４も同様であり、それがアキシャルボア１００の内側終端を同軸的に取り囲む。側壁９２の内側直径は、そこで多段式望遠鏡のようなはめ込み式に受け入れるのを可能にするために、金属インサート４１の前方終端４２の外側直径よりもわずかに大きい。割リング留めバネ１０５を受け入れるための円周溝またはリセス１０７は、フランジ９３の遠位終端面が側壁９２と交わる部位で形成され、それはインサート４１上で逆転リング９０を止めるために金属インサート４１（図３）の溝４３にもはめ込められる。これについて、以下でさらに詳細に説明する。
【００１８】
ラチェット式ねじ回し２０にはスピナーキャップ１１０も含まれ、それは概して、カップ形の構成要素である複合前方壁１１１は前部直円錐台形部分１１２および後部直円錐台形部分１１３から成り、後者は円筒側壁１１４に接合している。前部直円錐台形部分１１２と一体となって、そこから後方へ向かって張り出しているのは、大体において円筒形のハブ１１５で、アキシャルボア１１６がそれを貫通している。円周の周りに一定間隔で配置される固定用溝１１７は、円筒形側壁１１４および前方壁１１１の後部直円錐台形部分１１３の外側表面に形成されている。キャップ１１０の内面には、４個の等角で一定間隔に配置された補剛リブ１１８が、ハブ１１５と前方壁１１１との間に延びる。ハブ１１５の後方終端は大抵、円筒形側壁１１４の前方終端で終わる。円筒形側壁１１４の内側直径は、はめ込み式に受け入れることができるよう、逆転リングの側壁９２の外側直径よりわずかに大きい。
【００１９】
ラチェット式ねじ回し２０の組立では、シャンク２５の正方形終端が、先ずスピナーキャップ１１０のアキシャルボア１１６を前方から後方まで貫通して固定され、シャンク２５上のスプライン２９はハブ１１５のプレスばめを提供するために寸法を合わせて作られており、スピナーキャップ１１０をシャンク２５にしっかりと固定する。この代わりに、シャンク２５の代わりにスピナーキャップ１１０に成型を施してもよい。次に、シャンク２５の正方形終端２８が、図３で図解されるようにスピナーキャップ１１０の内部にはめ込まれている逆転リング９０のアキシャルボア１００を前方から後方へ貫通して固定され、挿入の深さは終端壁９１とハブ１１５との噛み合いによって決定される。各種部品の寸法を合わせてから組み立てられる場合、２つの部分が相関的に自在に回転することを可能にするには、スピナーキャップ１１０の円筒形側壁１１４末端が、逆転リング９０のフランジ９３の極く近くに配置されることが好ましい。止め座金１１９（図３）は、シャンク２５の正方形終端２８に取り付けられ、逆転リング９０上の環状リセス１０４で受け入れられて、ハブ１１５と協力してシャンク２５上に逆転リング９０をアキシャルに位置づける。
【００２０】
次に、止めバネ１０５が金属インサート４１の溝４３の中にはめ込まれ、逆転リング９０が金属インサート４１の前方終端４２に固定される。評価すべき点は、止めバネ１０５がラジアルに張り出した終端部分（表示なし）を持っていることで、バネ１０５が逆転リング溝１０７に収まるまで、ニードルノーズプライヤーを使ってリングを強く引っ張り溝４３の中に詰め込み、逆転リング９０を固定させる。これに関連して、フランジ９３の開口９７からプライヤーでバネの終端を掴むことが可能になる。バネ１０５が外されると、バネは拡大して、関連の回転運動を続けながら金属インサート４１上で逆転リング９０を止めるために、一部は金属インサート溝４３にはめ込まれ、そして一部は逆転リング溝１０７にはめ込まれる。
【００２１】
評価すべき点は、逆転リング９０が金属インサート４１に取り付けられる際、図３で示されるように、シャンク２５の正方形終端２８は管歯車６０の開口６２で受け入れられ、その正方形の後方終端６３で噛み合う。逆転リング９０が、所定箇所に取り付けられる際、回転順に位置付けられているため、ピン９８は逆転アクチュエータ８０の噛み合い部分８２で噛み合うように、ラグ９９は弧状スロット５２で噛み合って逆転リング９０の回転運動を限定し、ボール８９は凹んだリセス１０２の中に収まり、および指示溝９６はハンドル３０の作動終端３５のある中央の指示ドットと整列する。このように、各種部品は図３および４で図解されている設定で組み立てられ、その非ラチェット式モードで配置されたラチェット組立４０で組み立てられる。
【００２２】
ラチェット式ねじ回し２０の操作は大体において、前述の米国特許第４，７７７，８５２で説明された通りであるが、違う点は逆転アクチュエータ８０およびシャンク２５のスピニングの操作である。シャンク２５の軸の周囲でハンドル３０を回転させるために、ユーザがハンドルの握り部分３３を握ることは十分に理解される。ハンドル３０のピストル握り設計によって、かなりの挺子の力が関連止め具の回転に行使できることの点が、発明の重要な局面である。さらに、ピストル握り設計により、ユーザは手首と前腕とをほとんどまっすぐにしてねじ回し２０を操作できる。さらに発明の重要な局面は、逆転リングフランジ９３の外側直径およびハンドル３０のスピナーキャップ側壁３５の外側直径が、ハンドル３０の作動終端３５のそれとほぼ同じである点である。従って、ユーザはハンドル３０を握りながら、ユーザの握っている手の親指および／または指をフランジ９３まで延ばしてラチェット組立４０の操作モードを切り換えたり、またはスピナーキャップ１１０をスピンしたりすることができる。このように、オペレータはシャンク２５をスピンするためにもう一方の手を使う必要がない（もし使いたい場合は、スピナーキャップ１１０またはシャンク２５のぎざぎざのある表面２７のいずれかを捕まえることでできるが）。フランジ９３の縦溝およびぎざぎざまたは鋸状の刻み目により逆転リング９０の操作を容易にし、さらに溝１１７によりスピナーキャップ１１０の固定を容易にする。これに関して、図３および図４を参照すると最もよく分かるが、フランジ９３のぎざぎざまたは鋸状の刻み目のある外側表面部分は、スピナーキャップ１１０の円周側壁１１４およびハンドル３０の作動終端３５の外周外側表面からラジアルに外向に僅かながらさらに突き出しているため、ユーザは親指または人さし指で掴むことを容易にする。
【００２３】
図２を参照すると、そこではラチェット式ねじ回し１２０が表示されており、それは大体において図１のラチェット式ねじ回し２０と同じであるが、違う点は、前述の米国特許第４，７７７，８５２で開示されたのと同じ種類のまっすぐしたハンドル１２５を持っている点である。それ以外は、ラチェット式ねじ回し１２０の構造および操作は上述のラチェット式ねじ回し２０のそれと全く同じである。
【００２４】
発明の構造モデルにおいて、スピナーキャップ１１０はできれば適切なプラスチック素材で形成されることが好ましく、ハンドル３０および１２５も同様であり、ねじ回しのその他の部品は適切な素材で形成されている。
【００２５】
さて今度は図１１を参照すると番号２０Ａで指定された逆転ラチェット式ねじ回しが示されており、それは図１のねじ回し２０と全く同じであるが、但し異なる点は発明のもう一つの具体化例に従って逆転リング９０に代わって逆転リング１３０が使用されていることである。逆転リング１３０は、その環状フランジのそれ以外は、逆転リング９０と全く同じなので、ここでは逆転リング１３０の環状フランジの詳細だけを詳しく説明する。
【００２６】
図１２から図１４までを参照すると、逆転リング１３０はラジアルに外へ張り出した環状フランジ１３１を有し、その外側外周表面１３２は鋸状の刻み目のある摩擦性部分と凹み部分または縦溝とが交互することを特徴とする。さらに詳細すると、外周表面１３２にはほとんど等角に一定間隔で配置された８個の弧状のリセスまたは溝１３３が含まれ、それらの各々は逆転リング１３０の軸から半径Ｒ１だけ離れたルートまたは最も凹んだポイント１３４を持つ。上記の説明の通り、スピナーキャップ側壁１１４の外側直径（および半径）とハンドル３０の作動終端３５は大体において同じで、それらの外側外周は図１３の半径Ｒ２の幻の円周Ｃにより指摘される。出来れば、半径Ｒ１は半径Ｒ２と大体同じか、ほんの僅かしか違わないことが好ましい。
【００２７】
フランジ１３１の上半分に沿ってリセス１３３と交互に配置された一段高い突出部分１３５があり、各突出部分の凹んだ弧状の外側表面には、ひとつの頂点１３６と傾斜側面１３７および頂点１３６と側面１３７に沿って延びる鋸状の刻み目１３８が含まれる。フランジ１３１の下半分に沿ってリセス１３３と交互に４個の鋸状部分１３９が配置されている。鋸状部分１３９は、逆転リング９０の鋸状部分９５と大体において同じであり、その鋸状の頂点は逆転リング１３０と仮想円周に沿って、半径Ｒ３で、同軸的に配置されている（図１４）。各突出部分１３５の鋸状の刻み目の頂点は、半径Ｒ３よりもかなり小さい半径を持つ仮想弧を定義し、逆転リング１３０の軸から一定間隔に、半径距離Ｒ４で、その頂点１３６に配置されている（図１４）。
【００２８】
上述した通り、鋸状部分１３９が限定する弧の半径Ｒ３は、スピナーキャップ１１０の円筒形側壁１１４およびハンドル３０の作動終端３５よりも僅かに大きい。しかし、ユーザの手の人指し指または親指で逆転リング１３０を確実に掴み逆転リング１３０の回転を容易にするために、突出部分１３５の頂点１３６までの半径距離Ｒ４は半径Ｒ３よりも大きい。特に、このような半径Ｒ４により、逆転リング１３０の回転を容易にする一方で、ハンドル３０を握っているユーザの手の親指または人指し指でスピナーキャップ１１０を回転することをそれほど困難ではなくする点が本発明の重要な局面である。突出頂点１３６とリセスルート１３４間の放射距離（Ｒ４−Ｒ１）は、逆転リング１３０の軸からリセス１３３のルート１３４までの放射距離Ｒ１の少なくとも０．１倍であることが望ましいことが分かり、優先的具体化例では約Ｒ１の０．１４倍である。発明の構造モデルでは、突出頂点１３６はハンドル３０の作動終端３５からラジアルに外向きに幅Ｈ、約０．１インチ、張り出している（図１３）。
【００２９】
従って突出部分１３５のラジアルに外向き張り出しを増大すれば、それに従って突出部分頂点１３６とリセスルート１３４との間の放射距離（Ｒ４−Ｒ１）を増大し、ユーザの親指または人指し指の接触表面の高さを増加させる。この事実が突出部分１３５の傾斜側面１３７の鋸状の刻み目と相俟って、摩擦抵抗性の握力と挺子の力を著しく増大させ、ハンドル３０を握るユーザの手の親指または人指し指で逆転リング１３０は簡単に回転できる。
【００３０】
発明のもうひとつの局面は、逆転リングフランジ１３１のアキシャル幅Ｗ（図１１）は逆転リング９０のそれよりも大きい点である。できれば、その幅Ｗは０．２インチ以上が好ましく、発明の構造モデルでは大体において０．２３４インチである。このさらなる増大により、ユーザの親指または人指し指との接触表面を一層増大させる。
【００３１】
逆転リング１３０をねじ回し２０Ａに装着する際、図１１で示される様に、突出部分１３５をねじ回し２０Ａの上側、つまり握り部分３３が延びているのとは反対側に配置されるように位置付けることが好ましい。この位置付けにより、握り部分３３を掴んでいるユーザの手の親指で、最大の挺子の力を求めて突出部分１３５を一層掴み易くする。図では４個の突出部分１３５が示されているが、それ以外の個数も使用できることは十分認められている。
【００３２】
図１５を参照すると、もうひとつの逆転リング２３０があり、それは図１に関連して上述した逆転リング９０と大体において全く同一であり、従って同様の部品は同様の参照番号を有する。逆転リング２３０が根本的に異なる点は、弧状溝またはリセス９４の一つが突出部分またはタブ２３５で代替されていることである。突出部分２３５は、上述の突出部分１３５とほとんど同一の形態と設計であるが、他の逆転リングフランジ１３１のアキシャル幅よりもアキシャルにさらに延びている点が異なり、フランジ１３１よりもさらに後方へ延びる。逆転リング２３０は、使用に際して、位置付けられ、従って突出部分またはタブは握り部分３３を握っているユーザの手の親指が簡単に届くようにハンドル３０の上側に配置される。
【００３３】
図１６で示されているのは、本発明のさらなる具体化例による逆転リング３３０である。逆転リング３３０は、図１５の逆転リング２３０と全く同じであるが、但し溝またはリセス９４の２個がそれぞれ突出部分またはタブ３３５で代替されている点を除いてであり、各突出部分は代替において図１５の突出部分またはタブ２３５と同じである。突出部分またはタブ３３５は、出来れば溝またはリセス９４をひとつ隔てて配置されることが好ましく、使用に際して、握り部分３３を握っているユーザの手の親指が簡単に届くようにハンドル３０の上側に配置される。
【００３４】
タブ２３５および３３５はハンドル３０の上側に配置されるのが好ましいが、その他の位置に配置できることも十分認められている。さらにタブ２３５または３３５はこれ以外の個数を使用することも出来る。
【００３５】
前述の説明から、単純で経済的な構造と人間工学的設計を持ち、ハンドルを握る同じ手でシャンクの逆転メカニズムおよびスピニングの両方を作動できるようにした改良型逆転可能ラチェット式ねじ回しが提供されたことが分かる。
【００３６】
これまで本発明の特定の具体化例が示され説明されてきたが、この技術に熟練した方々には、発明から離れることなしにより広範囲にわたる局面で各種の変更や修正が可能であることは明白でありましょう。従って、付随の特許請求の範囲における目的は、発明の真髄および範囲内にある全てのそのような変更および修正を網羅することである。前述の説明で提示された事柄および付随の各種の図は、限定としてではなく、説明の手段としてのみ提供されている。従来の技術を基として正しい視野で請求の範囲が検討されるならば、発明の真の範囲が意図するところが明確になります。
【図面の簡単な説明】
【００３７】
【図１】本発明の第一の具体化例に従って、逆転可能ラチェット式ねじ回しの側面立面図。
【図２】本発明のもう一つの具体化例に従ってラチェット式ねじ回しのやや縮小した尺度で、図１に類似した図。
【図３】図１および図２のねじ回しのラチェットと逆転メカニズムの断面図。
【図４】図３の線４−４に沿った垂直断面図。
【図５】図１および図２のねじ回しのスピナー部分の断面拡大透視図。
【図６】図５のスピナーの正面立面図。
【図７】図５のスピナーの後部立面図。
【図８】図１および図２のねじ回しの逆転リングの透視図。
【図９】図８の逆転リングの正面立面図。
【図１０】図８の逆転リングの後部立面図。
【図１１】本発明のもう一つの具体化例に従って、逆転リングを組み込んだラチェット式ねじ回しの図１に類似した図。
【図１２】図１１のねじ回しの逆転リングの拡大透視図。
【図１３】図１２の逆転リングをさらに拡大した正面立面図。
【図１４】図１３の逆転リングの後部立面図。
【図１５】本発明のもう一つの具体化例に従って、逆転リングを組み込んだ図１１のねじ回しをやや拡大した断片的透視図。
【図１６】本発明の逆転リングのさらにもう一つの具体化例を図解する、図１５に類似した図。
【符号の説明】
【００３８】
２０  ねじ回し
２１  ビット
２６  レセプタクル
２９  スプライン
３０  ハンドル
４０  逆転可能ラチェット組立４０
【図１】
2008296367.tif 000003
【図２】
2008296367.tif 000004
【図３】
2008296367.tif 000005
【図４】
2008296367.tif 000006
【図５】
2008296367.tif 000007
【図６】
2008296367.tif 000008
【図７】
2008296367.tif 000009
【図８】
2008296367.tif 000010
【図９】
2008296367.tif 000011
【図１０】
2008296367.tif 000012
【図１１】
2008296367.tif 000013
【図１２】
2008296367.tif 000014
【図１３】
2008296367.tif 000015
【図１４】
2008296367.tif 000016
【図１５】
2008296367.tif 000017
【図１６】
2008296367.tif 000018